(57)【要約】      （修正有）【課題】防音効果及び遮音効果、排気ガス・空気の浄化効果が得られ、設置場所の地域景観の向上、自然との調和により癒し効果も得ることができる木製防音壁を提供する。【解決手段】道路を走行する自動車から出る音を、木製防音壁１を構成する壁枠２内部に充填又は収容した炭チップ及び生チップを混合してなる炭化吸音材Ｂで吸音及び吸収し、壁枠２前面に固定した板材３で様々な方向に向けて反射及び拡散し、壁枠２内部に侵入する音を板材３及び板材６の裏面側で互いに反射し、道路側に向けて反射される音を減少させ、壁枠２外部に音が漏洩及び後側に音が通り抜けるのを防止して、防音及び遮音する。且つ、自動車の排気ガス及び空気等に含まれる有害な物質を炭化吸音材Ｂの生チップに含まれる成分で分解・吸収して浄化する。【選択図】図２
2005282016.tif 000002
【特許請求の範囲】
【請求項１】
樹木を炭化処理した炭チップと該樹木を粉砕した生チップとが所定の割合に混合された炭化吸音材を、略箱形状を有する木製の壁枠内部に充填した
木製防音壁。
【請求項２】
樹木を炭化処理した炭チップと該樹木を粉砕した生チップとが所定の割合に混合された炭化吸音材を、通気性を有する収容袋内部に充填すると共に、
上記炭化吸音材が充填された収容袋を、略箱形状を有する木製の壁枠内部に収容した
木製防音壁。
【請求項３】
上記炭チップ及び生チップの少なくとも一方を間伐材で構成した
請求項１又は２記載の木製防音壁。
【請求項４】
上記壁枠の前後両面の少なくとも一方の面に固定される板材を、該壁枠の一方の面に沿って所定間隔に隔てて複数配列した
請求項１又は２記載の木製防音壁。
【請求項５】
上記壁枠の前後両面に固定される板材を互い違いとなるように複数配列した
請求項１又は２記載の木製防音壁。
【請求項６】
上記壁枠の前後両面の少なくとも一方の面に固定される板材を、音源側に向けて反射される音の反射率が小さくなるような断面形状の板材で構成した
請求項１又は２記載の木製防音壁。
【請求項７】
上記壁枠後面又は該壁枠内部に、該壁枠の厚み方向に通り抜けようとする音を遮音又は反射する遮音板を配設した
請求項１又は２記載の木製防音壁。
【請求項８】
上記壁枠を、杉又は桧の間伐材で構成した
請求項１又は２記載の木製防音壁。
【発明の詳細な説明】
【技術分野】
【０００１】
この発明は、例えば道路や鉄道、飛行場、工場、工事現場等から出る騒音及び排気ガスを低減するか、或いは、住宅や建物等の建築物の防音壁として用いられるような木製防音壁に関する。
【背景技術】
【０００２】
従来、上述の防音壁としては、例えば木材チップを、鉄製のボンデ合板からなるボックス型の外部本体に詰め込んだ特許文献１の防湿防音壁と、グラスウール等の吸音材を、複数の丸太材を積層してなる木製パネル内部の空間部に収容した特許文献２の木製防音壁とがある。しかし、特許文献１の防湿防音壁は、外部本体の外壁面全体を金属で構成しているので、音の反射率が高く、自動車から出る音の殆どが音源側に向けて反射されてしまい、吸音及び吸収する効果が充分に得られない。且つ、木材チップには、排気ガス及び空気中に含まれる微細な物質や微粒子を吸着又は保持する機能が無く、自動車の排気ガスや空気等を浄化する効果が得られない。一方、特許文献２の木製防音壁に充填した吸音材には、自動車の排気ガスや空気等に含まれる有害な物質を分解・吸収する機能が無く、自然環境に与える影響が少なくなるように浄化する効果が得られない。
【０００３】
【特許文献１】特開２００２−２０１６１６号公報。
【特許文献２】実用新案登録第３０４０３１６号公報
【発明の開示】
【発明が解決しようとする課題】
【０００４】
この発明は上記問題に鑑み、樹木を炭化処理した炭チップと該樹木を粉砕した生チップとを所定の割合に混合してなる炭化吸音材を、略箱形状を有する木製の壁枠内部に充填又は収容することにより、防音効果及び遮音効果、排気ガス・空気の浄化効果が得られる木製防音壁の提供を目的とする。
【課題を解決するための手段】
【０００５】
この発明は、樹木を炭化処理した炭チップと該樹木を粉砕した生チップとが所定の割合に混合された炭化吸音材を、略箱形状を有する木製の壁枠内部に充填した木製防音壁であることを特徴とする。或いは、樹木を炭化処理した炭チップと該樹木を粉砕した生チップとが所定の割合に混合された炭化吸音材を、通気性を有する収容袋内部に充填すると共に、上記炭化吸音材が充填された収容袋を、略箱形状を有する木製の壁枠内部に収容した木製防音壁であることを特徴とする。
【０００６】
上述の炭チップ及び生チップに用いられる樹木は、例えば間伐材や廃材、枯死樹木、庭木、剪定材、街路樹、竹等で構成することができる。また、炭化吸音材は、上述の廃材や枯死樹木、庭木、剪定材、街路樹、竹等の樹木を炭化処理してなる単一又は複合した炭チップ（木炭や竹炭等）と、杉や桧等の間伐材を粉砕又は破砕、細断してなる単一又は複合した生チップとを所望する割合（１：１）に混合した炭化材を用いるのが好ましい。なお、生チップには、例えば二酸化窒素（ＮＯ2 ）を分解・吸収するような成分が含まれている。その炭化吸音材を壁枠内部に充填又は収容する場合、例えば壁枠内部に直接充填するか、通気性を有するネット状のシートを、壁枠前面に固定した各板材の隙間が覆い隠される状態に敷設して、そのシートが敷設された壁枠内部に直接充填するか、その炭化吸音材が充填された通気性を有する収容袋を壁枠内部に収容する。また、木製の壁枠は、例えば杉や桧等の間伐材からなる板、柱を用いて略箱形状に形成又は組み付けることができる。その間伐材の代わりに、上述の樹木を用いることもできる。
【０００７】
つまり、道路を走行する自動車等の音源から出る音を、木製防音壁を構成する壁枠内部に充填又は収容した炭チップと生チップとを混合してなる炭化吸音材で吸音及び吸収し、壁枠の前後両面の少なくとも一方の面に固定した板材の外周面で様々な方向に向けて反射及び拡散して、音源側（道路側）に向けて反射される音を減少させ、壁枠外部に音が漏洩及び後側に音が通り抜けるのを防止して、防音及び遮音する。且つ、排気ガス・空気等に含まれる有害な物質を生チップに含まれる成分で分解・吸収して浄化する。
【０００８】
実施の形態として、上記炭チップ及び生チップの少なくとも一方を間伐材で構成することができる。また、上記壁枠の前後両面の少なくとも一方の面に固定される板材を、該壁枠の一方の面に沿って所定間隔に隔てて複数配列することができる。また、上記壁枠の前後両面に固定される板材を互い違いとなるように複数配列することができる。また、上記壁枠の前後両面の少なくとも一方の面に固定される板材を、音源側に向けて反射される音の反射率が小さくなるような断面形状の板材で構成することができる。且つ、板材の断面形状は、例えば略半円形状、略円弧形状、略半楕円形状、略蒲鉾形状、略半球形状、略丸形状、略台形状、或いは、歪な面を有する凹凸形状、多孔形状、多面形状等の単一又は複合した断面形状に構成することができる。また、上記壁枠後面又は該壁枠内部に、該壁枠の厚み方向に通り抜けようとする音を遮音又は反射する遮音板を配設することができる。且つ、遮音板は、例えば木、金属、プラスチック、セラミックス等の単一又は複合した材質からなる板で構成することができる。また、上記壁枠を、杉又は桧の間伐材で構成することができ、間伐材の利用範囲が広くなる。
【発明の効果】
【０００９】
この発明によれば、音源から出る音を、木製防音壁を構成する壁枠内部に充填又は収容した炭チップと生チップとを混合してなる炭化吸音材で吸音及び吸収し、壁枠の前後両面の少なくとも一方の面に固定した板材の外周面で様々な方向に反射及び拡散して、音源側に向けて反射される音を減少させ、壁枠外部に音が漏洩及び後側に音が通り抜けるのを防止するので、従来例の木製防音壁よりも高い防音効果及び遮音効果が得られる。且つ、排気ガス・空気等に含まれる有害な物質を生チップに含まれる成分で分解・吸収するので、自然環境に与える影響を少なくする浄化効果が得られる。且つ、道路・設置場所の地域景観の向上、自然との調和により運転者の癒し効果も得られると共に、間伐材の利用範囲が広くなり、森林整備の拡充も図ることができる。
【発明を実施するための最良の形態】
【００１０】
この発明の木製防音壁は、防音効果及び遮音効果、排気ガス・空気の浄化効果が得られるという目的を、樹木を炭化処理した炭チップと該樹木を粉砕した生チップとを所定の割合に混合してなる炭化吸音材を、略箱形状を有する木製の壁枠内部に充填又は収容することで達成することができる。
【実施例】
【００１１】
この発明の一実施例を以下図面に基づいて詳述する。
【００１２】
図面は、音源の一例である道路を走行する自動車から出る騒音及び排気ガスを低減するために設置される第１例の木製防音壁を示し、図１及び図７に於いて、この木製防音壁１は、例えば杉や桧等の間伐材からなる略箱形状を有する壁枠２内部の左右空間部２Ａ，２Ａに、例えば廃材や間伐材等の樹木からなる炭チップＢａ…及び生チップＢｃ…を略均一に混合した炭化吸音材Ｂを直接充填或いは袋詰めして収容する等して、道路の一側部又は両側部に設置する。
【００１３】
上述の壁枠２は、図２、図３にも示すように、板材３…と、支柱４，４と、芯柱５と、板材６…と、笠木７と、底板８とで構成され、これら部材で囲繞して空間部２Ａ，２Ａを左右に分割形成する。
【００１４】
且つ、音源である道路側に向けて反射される音の反射率が小さくなるような略断面半円形状に形成された板材３…の裏面側平面部を、所定の設置サイズと略対応する左右間隔に隔てて配置される略断面四角形状に形成した左右一対の支柱４，４前面と、左右支柱４，４の略中間に配置される芯柱５前面とに押し付けて前面から見て略水平となるように配列すると共に、支柱４，４及び芯柱５の前面側に突出するように嵌め込まれた又は埋め込まれたボルト９…を、板材３…の両端部及び中央部に形成した孔部３ａ…に挿通し、その孔部３ａ…に挿通されたボルト９…の突出側端部にナット１０…を前面側から螺合して、板材３…の間に隙間が形成されるような間隔に隔てて壁枠２前面に沿って上下方向（又は左右方向）に複数枚固定する。また、板材３…の間を所望する間隔に変更することもできる。
【００１５】
なお、音源側に向けられる板材３…の前面側は、例えば音源から出る音が様々な方向に向けて反射及び拡散され、音の反射率が小さく滑らかな曲面を有する略円弧形状、略半楕円形状、略蒲鉾形状、略半球形状、或いは、歪な面を有する凹凸形状、多孔形状、多面形状等の所望する断面形状に形成することができる。また、板材３…の代わりに、例えば多数の孔部が所定間隔に隔てて形成された一枚の板を用いることもできる。
【００１６】
且つ、略断面矩形状に形成された幕板側板材６…の裏面側平面部を、支柱４，４及び芯柱５の後面に押し付けて前面から見て略水平となるように壁枠２後面に沿って上下方向（又は左右方向）に複数枚配列すると共に、アイジャクリ加工された板材６…の上下対向端部に沿って長さ方向に連続して形成した凹部６ｂと凸部６ｃとを互いに嵌め合わせると共に、支柱４，４及び芯柱５の後面側に突出するように嵌め込まれた又は埋め込まれたボルト９…を、板材６…の両端部及び中央部に形成した孔部６ａ…に挿通し、その孔部６ａ…に挿通されたボルト９…の突出側端部にナット１０…を後面側から螺合して、壁枠２の後面側全体が閉塞及び隠蔽される状態に板材６…を締付け固定することで、上下面が開口された略筒状を有する壁枠２に組み付ける。なお、板材６…の代わりに、壁枠２の後面全体が隠蔽される大きさ及び形状に形成した１枚の板材を用いることもできる。また、ボルト９…は、金属板の前後両面に所定間隔に隔てて突設している。
【００１７】
且つ、壁枠２の上面側開口部２ａが閉塞される大きさ及び形状に形成した略断面半円形状を有する笠木７の下面側平面部を、最上段の板材３，６及び支柱４，４及び芯柱５の上端面に押し付けて、支柱４，４及び芯柱５の上端側に突出するように固定されたボルト１２…を、笠木７の両端部及び中央部に形成した孔部７ａ…に挿通し、その孔部７ａ…に挿通されたボルト１２…の突出側端部にナット１３…を上面側から螺合して、壁枠２の上面側開口部２ａが閉塞及び隠蔽される状態に笠木７を締付け固定する。
【００１８】
一方、ボルト１２…及びナット…１３による締付け固定を解除して、笠木７を取り外せば、壁枠２の上面側開口部２ａが全面開放され、図４にも示すように、炭化吸音材Ｂを、ネット状のシートＣａが敷設された壁枠２内部の左右空間部２Ａ，２Ａに直接投入して所定量充填するか、図５にも示すように、炭化吸音材Ｂが所定量充填されたカートリッジ型の収容袋Ｃｂを、壁枠２内部の空間部２Ａ，２Ａに収容する等の作業が行える。且つ、吸音能力及び浄化能力の低下した炭化吸音材Ｂを交換する場合、笠木７を取り外して、壁枠２の上面側開口部２ａから炭化吸音材Ｂを排出するか、炭化吸音材Ｂが充填された収容袋Ｃｂを壁枠２の上面側開口部２ａから取り出す等して簡単且つ容易に交換することができる。なお、炭化吸音材Ｂを、壁枠２内部の左右空間部２Ａ，２Ａに直接充填してもよい。また、空間部２Ａ，２Ａを一つに統合することもできる。また、ボルト９，１２及びナット１０、１３の代わり又は併用して、例えば釘やビス、止め金、ワイヤ、接着剤等の固定手段を用いることもできる。
【００１９】
且つ、壁枠２の下面側開口部２ｂが閉塞される大きさ及び形状に形成した略断面矩形状を有する底板８の上面側平面部を、支柱４，４及び芯柱５の下端面に押し付け或いは最下段の板材３，６の下端面にも押し付ける等して、壁枠２の下面側開口部２ｂが閉塞及び隠蔽される状態に底板８を上述のボルトやビス等で締付け固定する。
【００２０】
なお、上述の板材３，６、支柱４及び芯柱５、笠木７、底板８等は、例えば杉や桧、ラワン等の間伐材を使用しているが、その間伐材以外の木材を使用することもできる。実施例では、板材３，６のみに防腐剤を注入又は塗布しているが、その板材３，６以外の支柱４及び芯柱５、笠木７、底板８にも防腐剤を注入又は塗布してもよい。
【００２１】
前述の炭化吸音材Ｂは、例えば廃材や枯死樹木、庭木、剪定材、街路樹、竹等の樹木を炭化処理してなる単一又は複合した炭チップＢａ…（木炭や竹炭等）と、杉や桧等の間伐材を粉砕又は破砕、細断してなる単一又は複合した生チップＢｂ…とを所定の割合（略１：１）で略均一に混合した炭化材で構成される。且つ、炭化処理した炭チップＢａ…には、例えば排気ガス・空気等に含まれる有害物質や臭いの粒子、その他の微小な粒子が吸着され、音が吸音及び吸収されるような微細な孔部が多数形成されている。且つ、生チップＢｂ…には、例えば二酸化窒素（ＮＯ2 ）を分解・吸収するような成分が含まれている。なお、炭チップＢａ…及び生チップＢｂ…の割合を、何れか一方の割合が多くなるような割合に変更することもできる。また、間伐材を、炭化吸音材Ｂを構成する少なくとも一方の炭チップＢａ…或いは炭チップＢａ…及び生チップＢｃ…の両方に用いることもできる。
【００２２】
上述の炭化吸音材Ｂを壁枠２内部に充填又は収容する場合、図４に示すように、通気性を有する防水加工されたネット状のシートＣａを壁枠２内部の空間部２Ａ，２Ａに挿入して、壁枠２前面に固定した板材３…の隙間が覆い隠される状態に敷設して、その隙間から炭化吸音材Ｂが流出するのを防止した後、シートＣａが敷設された壁枠２内部の空間部２Ａ，２Ａに直接投入して所定量充填する。或いは、図５に示すように、炭化吸音材Ｂを、通気性を有する防水加工されたネット状の収容袋Ｃｂに所定量充填及び袋詰めした後、その炭化吸音材Ｂ入りの収容袋Ｃｂを壁枠２内部の空間部２Ａ，２Ａに収容する。なお、通気性を有する素材であれば、例えば織物や不織布、紙、布等で形成されたシート及び袋を用いるか、多数の通気孔が形成されたシート及び袋等を用いることもできる。
【００２３】
且つ、収容袋Ｃｂの四隅部又は両端部に取り付けたベルトＣｃ…は、壁枠２内部の空間部２Ａ，２Ａから収容袋Ｃｂを取り出す作業を容易にするために作業者の手で把持される。なお、ベルトＣｃの代わりに、例えば紐や環、フック等を取り付けてもよい。
【００２４】
上記のように組み付けられた木製防音壁１は、図６、図７、図８に示すように、コンクリート製の基台１４上端に埋め込まれた略断面Ｈ型（通称＝Ｈ鋼）を有する支持枠１５，１５間に上方から嵌込み固定され、支持枠１５，１５は、木製防音壁１の左右両端部が嵌込み許容される左右間隔に隔てて道路の一側部又は両側部（或いは中央分離帯等）に打ち込まれた基台１４上端に立設している。且つ、支持枠１５の前側支持片１５ａと後側支持片１５ａとの間は、支柱４及び板材６の外側端部が差込み許容される前後間隔に隔てられている。且つ、支持枠１５の前側支持片１５ａの端部が差込み許容される溝幅の溝部４ａ，４ａを、板材３…の裏面側両端部と対向する支柱４，４の前面側外縁部に沿って上下方向に連続して形成している。
【００２５】
なお、支持枠１５，１５を、例えばボルトやネジ等で基台１４上端に固定するか、基台１４を、例えばコンクリート以外の金属や木、プラスチック等の材質で構築することもできる。且つ、支持枠１５，１５を、例えばＨ鋼以外に、略断面Ｔ字状、略断面Ｌ字形状等の断面形状を有する金属製や木製、プラスチック製の枠で構成することもできる。
【００２６】
且つ、図９、図１０に示す第２例の木製防音壁１は、略同一断面形状の板材３…を、壁枠２の前後両面に対して前後対称となるように固定し、支持枠１５の前後支持片１５ａ，１５ａの端部が差込み許容される溝幅の溝部４ａ，４ａを支柱４，４の前後面外縁部に沿って上下方向に形成し、例えば亜鉛鉄板やステンレス板等の金属製の遮音板１６を、壁枠２内部の左右空間部２Ａ，２Ａに嵌め込んで前後２分割し、その分割された前後空間部２Ａ，２Ａに、炭化吸音材Ｂを直接充填するか、炭化吸音材Ｂが充填された収容袋Ｃｂを収容する等している。且つ、木製防音壁１の前後及び上下が対称であるため、方向性が限定されず、何れか一方の面を前後方向に向けて設置するか、上下逆向きに設置することができる。且つ、道路の一側部及び両側部だけでなく、道路の中央分離帯に設置することもできる。なお、第１例の木製防音壁１と同一構成の部分は同一の符号を記してその詳細な説明を省略する。
【００２７】
上記木製防音壁１の吸音率を、残響室法吸音率測定方法で測定した場合、法定で定められた基準値以下の吸音率（％）に吸音することができるという測定結果が得られる。また、木製防音壁１の透過損失を音響透過損失測定方法で測定した場合、法定で定められた基準値以下の透過損失（ｄＢ）に低減することができるという測定結果が得られる。
【００２８】
図示実施例は上記の如く構成するものにして、以下、木製防音壁１により吸音・防音・浄化する方法を説明する。
【００２９】
先ず、壁枠２の前面側に板材３…が固定された図１に示す木製防音壁１或いは壁枠２の前後両面に板材３…が前後対称に固定された図１０に示す木製防音壁１を、図６乃至図９に示すように、道路の一側部又は両側部に沿って打ち込まれた基台１４の支持枠１５，１５間に１枚嵌め込むか、複数枚を上下に積重ねて嵌め込む等して、木製防音壁１の壁枠２前面又は何れか一方の面に固定した板材３…を音源である道路側に向けて、道路の一側部又は両側部に沿って連続して設置する。
【００３０】
上述の道路を走行する自動車から出る音は、木製防音壁１の壁枠２前面に固定した板材３…の音源と直交する部分で相対向する方向に向けて反射し、音源と直交する部分以外の板材３…の外周面に当たった音は様々な方向に向けて反射及び拡散する。且つ、板材３…及び板材６…の裏面側で互いに反射して、道路側（又は前面側）に向けて反射される音を減少させ、壁枠２の厚み方向に通り抜けようとする音を板材６…及び遮音板１６で遮音又は反射して、壁枠２外部に音が漏洩及び後側に音が通り抜けるのを防止する。
【００３１】
且つ、図６に示す木製防音壁１は、前側板材３…の隙間を通り抜けて壁枠２内部に侵入する音を、壁枠２内部に充填又は収容した炭化吸音材Ｂで吸音及び吸収して、防音及び遮音する。一方、図９に示す木製防音壁１は、前後板材３…の隙間を通り抜けて壁枠２内部に侵入する音を、前後及び左右の空間部２Ａ，２Ａに充填又は収容した炭化吸音材Ｂで吸音及び吸収して、防音及び遮音する。
【００３２】
且つ、前側及び前後の板材３…の隙間から侵入する自動車の排気ガス及び空気に含まれる窒素酸化物の主要素である二酸化窒素（ＮＯ2 ）は、壁枠２内部に充填又は収容した炭化吸音材Ｂの生チップＢｂ…に含まれる成分で分解・吸収すると共に、その排気ガス及び空気中に含まれる化学物質や臭いの粒子は、炭化吸音材Ｂの炭チップＢａ…及び生チップＢｂ…の表面に吸着するか、炭チップＢａ…に形成された多数の孔部に吸着して、自動車の排気ガス及び空気を浄化する。
【００３３】
以上のように、道路を走行する自動車から出る音を、木製防音壁１を構成する壁枠２内部に充填又は収容した炭チップＢａ…及び生チップＢｃ…を混合してなる炭化吸音材Ｂで吸音及び吸収し、壁枠２の前面側及び前後面に固定した板材３…の外周面で様々な方向に反射及び拡散して、道路側に向けて反射される音を減少させ、壁枠２外部に音が漏洩及び後側に音が通り抜けるのを防止するので、従来例の木製防音壁よりも高い防音効果及び遮音効果が得られる。且つ、排気ガス・空気等に含まれる有害な物質を生チップＢｃ…に含まれる成分で分解・吸収するので、自然環境に与える影響を少なくする浄化効果が得られる。且つ、道路・設置場所の地域景観の向上、自然との調和により運転者の癒し効果も得られると共に、間伐材の利用範囲が広くなり、森林整備の拡充も図ることができる。
【００３４】
図１１は、略１／４が切除された略断面丸形状の板材３Ａ…を壁枠２前面に固定した木製防音壁１の第３例を示し、木製防音壁１を構成する壁枠２前面に固定した板材３Ａ…を音源である道路側に向けて設置し、板材３Ａ…の隙間を通り抜けて壁枠２内部に侵入する音を、壁枠２内部に充填又は収容した炭化吸音材Ｂで吸音及び吸収し、自動車の排気ガス及び空気を浄化する。且つ、音源と直交する部分以外の板材３Ａ…の円周面に当たった音は様々な方向に向けて反射及び拡散し、上下板材３Ａ…間の対向外周面に当たった音は壁枠２内部に向けて反射する。且つ、板材３Ａ…及び板材６…の裏面側で互いに反射して、道路側に向けて反射される音が減少させ、前後に通り抜けようとする音を板材６…で遮音するため、壁枠２外部に音が漏洩しにくく、上述の実施例と略同等の作用及び効果を奏することができる。また、板材３Ａの切除量を、例えば略１／４以下又は以上に変更することもできる。
【００３５】
図１２は、略断面半円形状の板材３…を壁枠２の前後両面に上下互い違いとなるように固定した木製防音壁１の第４例を示し、前側板材３…の隙間と対向して後側板材３…を固定し、後側板材３…の隙間と対向して前側板材３…を固定して、前後板材３…の隙間を通り抜けて壁枠２内部に侵入する音を、壁枠２内部に充填又は収容した炭化吸音材Ｂで吸音及び吸収し、自動車の排気ガス及び空気を浄化する。且つ、前後板材３…の裏面側で互いに反射して、道路側に向けて反射される音を減少させ、前後に通り抜けようとする音を板材６…で遮音するため、壁枠２外部に音が漏洩しにくく、上述の実施例と略同等の作用及び効果を奏することができる。且つ、道路の一側部及び両側部だけでなく、道路の中央分離帯に設置することもできる。また、板材３…を左右互い違いとなるように固定することもできる。
【００３６】
図１３は、略同一断面形状の板材３…を壁枠２の前後両面に対して前後対称となるように固定した木製防音壁１の第５例を示し、前後板材３…の隙間を通り抜けて壁枠２内部に侵入する音を、壁枠２内部に充填又は収容した炭化吸音材Ｂで吸音及び吸収し、自動車の排気ガス及び空気を浄化する。且つ、前後板材３…及び中間板材６…の裏面側で互いに反射して、道路側に向けて反射される音を減少させ、前後に通り抜けようとする音を中間板材６…で遮音するため、壁枠２外部に音が漏洩しにくく、上述の実施例と略同等の作用及び効果を奏することができる。且つ、道路の一側部及び両側部だけでなく、道路の中央分離帯に設置することもできる。また、前後板材３…を上下互い違いとなるように固定することもできる。なお、図１２及び図１３の木製防音壁１は前後が対称であるため、方向性が限定されず、何れか一方の面を所望する方向に向けて設置することができる。
【００３７】
この発明の構成と、上述の実施例との対応において、  
この発明の遮音板は、実施例の板材３，６及び遮音板１６に対応するも、  
この発明は、上述の実施例の構成のみに限定されるものではない。
【００３８】
例えば、図１１に示す板材３Ａ…を、図１０、図１２、図１３に示す壁枠２の前後両面に上下互い違いとなるように固定するか、前後対称となるように固定することもできる。また、板材３，６を、例えば略半楕円形や略蒲鉾形状、略円弧形状、略台形状等の断面形状に変更するか、上記のような様々な断面形状の板材３，６を複数組み合わせて用いることもできる。
【産業上の利用可能性】
【００３９】
この発明の木製防音壁は、例えば住宅や建物等の建築物の防音壁としても利用することができる。
【図面の簡単な説明】
【００４０】
【図１】第１例の木製防音壁の組み付け状態を示す斜視図。
【図２】炭化吸音材を防音壁内部に充填及び収容する方法を示す斜視図。
【図３】木製防音壁の組み付け構造を示す縦断側面図。
【図４】炭化吸音材を防音壁内部に充填した状態を示す縦断側面図
【図５】炭化吸音材入り袋を防音壁内部に収容した状態を示す縦断側面図。
【図６】木製防音壁の設置状態を示す横断平面図。
【図７】木製防音壁の設置状態を示す正面図。
【図８】木製防音壁の設置状態を示す側面図。
【図９】板材を前後対称に固定した木製防音壁の第２例を示す横断平面図。
【図１０】図９の木製防音壁の設置状態を示す側面図。
【図１１】略断面丸形状の板材を固定した木製防音壁の第３例を示す側面図。
【図１２】前後板材を互い違いに固定した木製防音壁の第４例を示す側面図。
【図１３】板材を前後対称に固定した木製防音壁の第５例を示す側面図。
【符号の説明】
【００４１】
Ｂ…炭化吸音材
Ｂａ…炭チップ
Ｂｂ…生チップ
Ｃａ…シート
Ｃｂ…収容袋
１…木製防音壁
２…壁枠
２Ａ…空間部
３，３Ａ…板材
４…支柱
５…芯柱
６…板材
７…笠木
８…底板
１６…遮音板
【図１】
2005282016.tif 000003
【図２】
2005282016.tif 000004
【図３】
2005282016.tif 000005
【図４】
2005282016.tif 000006
【図５】
2005282016.tif 000007
【図６】
2005282016.tif 000008
【図７】
2005282016.tif 000009
【図８】
2005282016.tif 000010
【図９】
2005282016.tif 000011
【図１０】
2005282016.tif 000012
【図１１】
2005282016.tif 000013
【図１２】
2005282016.tif 000014
【図１３】
2005282016.tif 000015